(57)【要約】【課題】乾燥床アセンブリを提供する。【解決手段】乾燥床アセンブリが提供される。乾燥床アセンブリは、閉鎖空間の床を形成するように、または閉鎖空間の床上に配置されるように構成される。乾燥床アセンブリは、格子、受皿、および吸取層を含む。格子は、液体の通過を可能にするように構成された開口部の配列を有する。格子は、底面から上面まで延在する部材を有し、上面は、歩行されるように構成される。この部材は、底面から上面に向けて先細の断面を有する。受皿は、格子の下に配置され、空隙部を画定する。吸取層は、受皿と格子との間に介装され、受皿に向けて開口部を通過する液体を吸い取るように構成される。【選択図】図３
2020011710.tif 000002
【特許請求の範囲】
【請求項１】
閉鎖空間の床を形成するかまたは前記床上に配置されるように構成された乾燥床アセンブリ（１００）であって、前記乾燥床アセンブリ（１００）は、
液体の通過を可能にする開口部（１１４）の配列（１１２）を有する格子（１１０）であって、前記格子（１１０）が、底面（１２２）から上面（１２４）まで延在する部材（１２０）を有し、前記上面（１２４）が、歩行されるように構成されており、前記部材（１２０）が、前記底面（１２２）から前記上面（１２４）に向けて先細の断面を有する、格子と、
前記格子（１１０）の下に配置された受皿（１３０、１１００）であって、前記受皿（１３０）が、空隙部（１３２）を画定する、受皿と、
前記受皿（１３０、１１００）と前記格子（１１０）との間に介装された吸取層（１４０）であって、前記吸取層（１４０）が、前記受皿（１３０、１１００）に向けて前記格子（１１０）の前記開口部（１１４）を通過する液体を吸い取るように構成されている、吸取層と
を備える乾燥床アセンブリ。
【請求項２】
前記吸取層（１４０）が、複数の副層を備え、前記副層の各々が、隣接する副層および前記格子（１１０）の少なくとも一方に離散点（７０２）で接着されている、請求項１に記載の乾燥床アセンブリ。
【請求項３】
前記吸取層（１４０）と前記受皿（１３０、１１００）との間に介装された支持層（１５０）をさらに備え、前記支持層（１５０）が、前記格子（１１０）の前記配列（１１２）の前記開口部（１１４）よりも小さい支持開口部（１５２）を備える、請求項１または２に記載の乾燥床アセンブリ。
【請求項４】
前記格子（１１０）の周囲（１１７）を取り囲むように延在し、前記格子（１１０）に接着されたストリップ（１１６）をさらに備える、請求項１から３のいずれか一項に記載の乾燥床アセンブリ。
【請求項５】
前記受皿（１３０）が、棚部（１３４）を備え、前記ストリップ（１１６）が、金属材料で作られており、前記ストリップ（１１６）が、磁石（１１８、１１９）によって前記棚部（１３４）に固定されている、請求項４に記載の乾燥床アセンブリ。
【請求項６】
前記ストリップ（１１６）に固定された少なくとも１つの包囲部材（１６０）をさらに備える、請求項４または５に記載の乾燥床アセンブリ。
【請求項７】
前記受皿（１３０、１１００）と流体連通するリザーバ（１７０、１１７０）をさらに備え、前記受皿（１３０）が、前記リザーバ（１７０、１１７０）に流体を誘導する傾斜床（１３６）を有する、請求項１から６のいずれか一項に記載の乾燥床アセンブリ。
【請求項８】
前記吸取層（１４０）の下に配置され、前記格子（１１０）を通過する液体を吸収する吸収パッドをさらに備える、請求項１から７のいずれか一項に記載の乾燥床アセンブリ。
【請求項９】
閉鎖空間の床を形成するかまたは前記床上に配置されるように構成された乾燥床アセンブリ（１００）を用意するための方法（１３００）であって、前記方法（１３００）が、
液体の通過を可能にする開口部（１１４）の配列（１１２）を有する格子（１１０）を用意するステップ（１３０２）であって、前記格子（１１０）が、底面（１２２）から上面（１２４）まで延在する部材（１２０）を有し、前記上面（１２４）が、歩行されるように構成されており、前記部材（１２０）が、前記底面（１２２）から前記上面（１２４）に向けて先細の断面を有する、ステップ（１３０２）と、
前記格子（１１０）の下に受皿（１１００）を配置するステップ（１３１０）であって、前記受皿（１１００）が、空隙部を画定する、ステップ（１３１０）と、
前記受皿（１１００）と前記格子（１１０）との間に介装された吸取層（１４０）を設けるステップ（１３１２）であって、前記吸取層（１４０）が、前記受皿に向けて前記格子（１１０）の前記開口部（１１４）を通過する液体を吸い取るように構成されている、ステップ（１３１２）と
を含む、方法。
【請求項１０】
前記格子（１１０）を用意するステップが、不燃性材料を使用して前記格子（１１０）を成型するステップ（１３０４）と、疎水性コーティングで前記格子（１１０）をコーティングするステップ（１３０６）とを含む、請求項９に記載の方法。
【請求項１１】
前記吸取層（１４０）を設けるステップが、複数の副層を用意するステップ（１３１４）と、前記副層の各々を隣接する副層および前記格子の少なくとも一方に離散点（７０２）で接着するステップ（１３１６）とを含む、請求項９または１０に記載の方法。
【請求項１２】
前記吸取層（１４０）と前記受皿（１３０、１１００）との間に介装された支持層（１５０）を設けるステップ（１３１８）であって、前記支持層（１５０）が、前記格子の前記配列（１１２）の前記開口部（１１４）よりも小さい支持開口部（１５２）を備える、ステップ（１３１８）をさらに含む、請求項９から１１のいずれか一項に記載の方法。
【請求項１３】
前記格子（１１０）の周囲（１１７）を取り囲むように延在する、金属材料で作られたストリップ（１１６）を前記格子（１１０）に接着するステップと、磁石（１１８、１１９）によって前記受皿（１３０）の棚部（１３４）に前記ストリップ（１１６）を固定するステップ（１３２０）とをさらに含む、請求項９から１２のいずれか一項に記載の方法。
【請求項１４】
前記受皿（１１００）と流体連通するリザーバ（１１７０）を設けるステップ（１３２２）であって、前記受皿（１１００）が、前記リザーバに流体を誘導する傾斜床（１３６）を有する、ステップ（１３２２）をさらに含む、請求項９から１３のいずれか一項に記載の方法。
【請求項１５】
前記閉鎖空間が、ビークルの洗面所（９９）である、請求項９から１４のいずれか一項に記載の方法。
【発明の詳細な説明】
【技術分野】
【０００１】
関連出願
本出願は、その全体が参照により本明細書に組み入れられる、２０１８年７月１３日に出願された「乾燥床液体処分システム」と題する米国仮特許出願第６２／６９７，７２７号に関し、その優先権の利益を主張する。
【０００２】
本開示の実施形態は、一般に、民間航空機内の洗面所の床など、液体を収集および／または除去するための床を提供するためのシステムおよび方法に関する。
【背景技術】
【０００３】
様々な環境において、床に液体がこぼれたり漏れたりすることがある。望み通りの短い時間で床から液体を手作業で除去することは可能ではないまたは現実的ではないかもしれない。例えば、民間航空機は、様々な場所間で乗客を輸送するために使用されている。フライト中、特に、大洋横断フライト中または他の長距離フライト中、乗客は一般的に、航空機の特定のエリア（例えばキャビン）内に閉じ込められる。様々な個人（乗客、パイロット、および客室乗務員など）が、フライト中に航空機の特定の内部部分を使用する。例えば、多くの個人が、フライト中に内部キャビン内の洗面所を使用し得る。液体が、（例えば流しから）洗面所の床にこぼれる可能性がある。
【０００４】
航空機の洗面所は、一般にフライト間に清掃される。例えば、保守または清掃スタッフは、洗面所を清掃するためにフライトの前および／または後に地上の航空機に乗り込む。しかしながら、多くの個人がフライト中に洗面所を使用し得るという事実にもかかわらず、フライト中に洗面所は一般的に清掃されない。客室乗務員は、洗面所を清掃することができるかもしれないが、彼らは通常、フライト中は他の職務に専念している。そのため、フライト中またはフライト間でさえも、洗面所の清掃は、客室乗務員にとって最優先事項ではない可能性がある。その結果、航空機の機内の洗面所の床の乾燥度が、特にフライト中に犠牲にされる可能性がある。そのため、航空機に搭乗する個人のフライト体験が、悪影響を受ける可能性がある。
【発明の概要】
【発明が解決しようとする課題】
【０００５】
乾燥床アセンブリを提供するためのシステムおよび方法の必要性が存在する。乾いた床を（例えば使用後の洗面所に関して）提供するためのシステムおよび方法の必要性が存在する。特にフライト中に航空機の機内で乾いた洗面所の床を効果的かつ効率的に提供するためのシステムおよび方法の必要性が存在する。
【課題を解決するための手段】
【０００６】
これらの必要性を考慮して、本開示の特定の実施形態は、乾燥床アセンブリを提供する。乾燥床アセンブリは、閉鎖空間の床を形成するように、または閉鎖空間の床上に配置されるように構成される。乾燥床アセンブリは、格子、受皿、および吸取層(wicking layer)を含む。格子は、液体の通過を可能にするように構成された開口部の配列を有する。格子は、底面から上面まで延在する部材を有し、上面は、歩行されるように構成される。この部材は、底面から上面に向けて先細の断面を有する。受皿は、格子の下に配置され、空隙部を画定する。吸取層は、受皿と格子との間に介装され、受皿に向けて開口部を通過する液体を吸い取るように構成される。
【０００７】
本開示の特定の実施形態は、閉鎖空間の床を形成するかまたはその上に配置されるように構成された乾燥床アセンブリを用意するための方法を提供する。本方法は、液体の通過を可能にするように構成された開口部の配列を有する格子を用意するステップを含む。格子は、底面から上面まで延在する部材を有し、上面は、歩行されるように構成される。この部材は、底面から上面に向けて先細の断面を有する。本方法は、格子の下に受皿を配置するステップも含む。受皿は、空隙部を画定する。さらに、本方法は、受皿と格子との間に介装された吸取層を設けるステップを含む。吸取層は、受皿に向けて格子の開口部を通過する液体を吸い取る(wick)ように構成される。
【０００８】
本開示の特定の実施形態は、（例えば、乾燥床アセンブリと共に使用するための）吸収パッドを提供する。吸収パッドは、吸収性コア部、吸取部、およびガラス繊維外側プライを含む。吸取部は、吸収性コア部を囲む。ガラス繊維外側プライは、吸取部を囲み、吸収パッドの外面を画定する。
【図面の簡単な説明】
【０００９】
【図１】本開示の一実施形態による、航空機の上面斜視図を示す。
【図２Ａ】本開示の一実施形態による、航空機の内部キャビンの平面図を示す。
【図２Ｂ】本開示の一実施形態による、航空機の内部キャビンの平面図を示す。
【図３】本開示の一実施形態による、乾燥床アセンブリの分解側面断面図を示す。
【図４】図３の乾燥床アセンブリの格子１１０の平面図を提供する。
【図５】図４の格子の部材の断面図を提供する。
【図６】本開示の一実施形態による、例示的な吸取層の分解側面図を提供する。
【図７】図６の例示的な吸取層の平面図を提供する。
【図８】図３のアセンブリの支持層の平面図を提供する。
【図９】本開示の一実施形態による、包囲部材を含むシステムの分解斜視図を示す。
【図１０】本開示の一実施形態による、リザーバを伴う受皿の側面図を提供する。
【図１１】本開示の一実施形態による、連結動作可能な(articulable)リザーバを伴う受皿の側面図を提供する。
【図１２】本開示の一実施形態による、吸収パッドの概略図を提供する。
【図１３】本開示の一実施形態による、乾燥床アセンブリを提供するための方法のフローチャートを示す。
【発明を実施するための形態】
【００１０】
前述の概要および特定の実施形態の以下の詳細な説明は、添付の図面と併せて読まれるときによりよく理解される。本明細書で使用されるとき、語「１つの(a)」または「１つの(an)」が前に置かれる、単数形で記載される要素またはステップは、必ずしも複数の要素またはステップを排除しないと理解されるべきである。さらに、「一実施形態」への言及は、記載された特徴をも含むさらなる実施形態の存在を排除するものとして解釈されることを意図していない。さらに、明示的に別段の記載がない限り、特定の条件を有する要素または複数の要素を「備える」または「有する」実施形態は、その条件を有さないさらなる要素を含み得る。
【００１１】
本開示の実施形態は、洗面所の床などの乾燥床を提供するためのシステム、方法、およびアセンブリを提供する。このシステム、方法、およびアセンブリは、ビークルの洗面所、建築物内の公衆便所、および／または研究室などの中など、様々な状況で使用され得る。様々な実施形態に関するビークルの例としては、航空機、船、またはバスもしくは電車などの地上ビークルが挙げられる。
【００１２】
本開示の様々な実施形態は、床面または歩行面から液体を除去するための乾燥床アセンブリを提供する。様々な実施形態は、最上層の手触りを乾いたままにし、下層が最上層から液体を引き出すようにして、液溜まりを低減または除去するための多層システムを提供する。
【００１３】
様々な実施形態は、床からの液体の除去を実現する。さらに、様々な実施形態は、既存の基礎構造（例えば航空機の基礎構造）にシームレスに結合される容易に交換可能な構成要素を提供する。
【００１４】
図１は、本開示の一実施形態による、航空機１０の上面斜視図を示す。航空機１０は、例えば２つのターボファンエンジン１４を含み得る推進システム１２を含み得る。任意選択で、推進システム１２は、図示よりも多いエンジン１４を含んでもよい。エンジン１４は、航空機１０の翼１６によって保持される。他の実施形態では、エンジン１４は、胴体１８および／または尾部２０によって保持され得る。尾部２０は、水平安定板２２および垂直安定板２４も支持し得る。航空機に関連して様々な実施形態が述べられているが、例えば、船などの他のビークルまたはバスもしくは電車などの地上ビークルに関連して他の実施形態が利用され得ることに再び気付かれるだろう。
【００１５】
航空機１０の胴体１８は、内部キャビンを画定し、内部キャビンは、コックピット、１つ以上の作業区画（例えば、調理室および乗員用の機内持ち込み手荷物エリアなど）、１つ以上の乗客区画（例えば、ファーストクラス、ビジネスクラス、および普通席の区画）、ならびに後部レストエリアアセンブリが配置され得る後部区画を含み得る。これらの区画の各々は、１つ以上のクラス分割アセンブリを含み得るキャビン移行エリアによって区分され得る。頭上の荷物入れアセンブリは、内部キャビン全体に配置され得る。
【００１６】
内部キャビンは、例えば、１つ以上の洗面所を含む。本開示の実施形態は、洗面所内の床を自動的に乾かすように構成されたシステムおよび方法を提供する。
【００１７】
代替的に、航空機の代わりに、本開示の実施形態は、自動車、バス、機関車および電車の車両、船舶、および宇宙船などの様々な他のビークルと共に使用され得る。さらに、本開示の実施形態は、商業建築物および住宅建築物などの固定構造物に対して使用され得る。一例として、本開示の実施形態は、洗面所がビークル内にあるかどうかにかかわらず、洗面所の床を自動的に乾かすために使用され得る。
【００１８】
図２Ａは、本開示の一実施形態による、航空機の内部キャビン３０の平面図を示す。内部キャビン３０は、航空機の胴体３２内にあり得る。例えば、１つ以上の胴体壁が、内部キャビン３０を画定し得る。内部キャビン３０は、複数の区画を含み、複数の区画は、前部区画３３と、ファーストクラス区画３４（または例えばファーストクラススイート、キャビン）と、ビジネスクラス区画３６と、前部調理室ステーション３８と、拡張エコノミーまたは普通席区画４０と、標準エコノミーまたは普通席区画４２と、複数の洗面所および調理室ステーションを含み得る後部区画４４とを含む。内部キャビン３０は図示よりも多いまたは少ない区画を含み得ることを理解されたい。例えば、内部キャビン３０は、ファーストクラス区画を含まなくてもよく、図示よりも多いまたは少ない調理室ステーションを含んでもよい。これらの区画の各々は、通路４８間にクラス分割アセンブリを含み得るキャビン移行エリア４６によって区分され得る。
【００１９】
図２Ａに示すように、内部キャビン３０は、後部区画４４に通じる２つの通路５０および５２を含む。任意選択で、内部キャビン３０は、図示よりも少ないまたは多い通路を有してもよい。例えば、内部キャビン３０は、後部区画４４に通じる、内部キャビン３０の中央を通って延びる単一の通路を含んでもよい。
【００２０】
内部キャビン３０内には１つ以上の洗面所９９が配置され得る。洗面所９９は、本明細書で述べるような乾燥床アセンブリを含むことができ、乾燥床アセンブリは、胴体の一部内に固定され得る。乾燥床アセンブリは、露出した上面上の目に見える液体の量を低減するか、またはこのような液体を除去するように構成される。
【００２１】
図２Ｂは、本開示の一実施形態による、航空機の内部キャビン８０の平面図を示す。内部キャビン８０は、航空機の胴体８１内にあり得る。例えば、１つ以上の胴体壁が、内部キャビン８０を画定し得る。内部キャビン８０は、乗客席８３を有するメインキャビン８２と、メインキャビン８２の後方にある後部区画８５とを含む複数の区画を含む。内部キャビン８０は図示よりも多いまたは少ない区画を含み得ることを理解されたい。
【００２２】
内部キャビン８０は、後部区画８５に通じる単一の通路８４を含み得る。単一の通路８４は、内部キャビン８０の中央を通って延び、後部区画８５に通じ得る。例えば、単一の通路８４は、内部キャビン８０の長手方向中心平面と同軸に位置合わせされてもよい。
【００２３】
乾燥床アセンブリは、コックピットエリア８９に隣接する前部区画８７にある、メインキャビン８２の洗面所９９内に配置され得る。メインキャビン８２全体にはさらなる洗面所９９が配置されてもよい。
【００２４】
図３は、乾燥床アセンブリ１００の分解側面断面図を示す。図３に見られるように、図示の例の乾燥床アセンブリ１００は、格子１１０と、受皿１３０と、吸取層１４０と、支持層１５０と、吸収パッド１８０とを含む。乾燥床アセンブリ１００は、閉鎖空間（例えば、航空機の洗面所、船の洗面所、またはバスもしくは電車などの地上ビークルの洗面所）の床の一部を形成するように、または閉鎖空間の床の上または中に配置されるように構成される。一般に、格子１１０は、歩行される表面を提供し、歩行面上にこぼれた液体が通過する開口部を有する。吸取層１４０は、格子１１０を通過した液体を受皿１３０へ誘導するのを助ける。受皿１３０は、処分のために液体を収集し、貯蔵し、および／または誘導するために使用される。例えば、図３に示す実施形態では、吸収パッド１８０は、吸取層１４０の下（例えば、受皿１３０内）に配置され、格子１１０を通過する液体を吸収するために使用される。吸収パッド１８０は、例えば、吸収パッド１８０が所定量の液体を吸収した後におよび／または所定の時間間隔で交換されてもよい。他の実施形態では、液体は、受皿１３０内に貯蔵され、（例えば、受皿１３０を吸引することによって）後に除去されてもよい。別の代替案として、本明細書で述べられているように、受皿１３０は、液体を別個のリザーバに誘導するために使用されてもよい。そのとき、別個のリザーバが、後の除去のために液体を収集してもよく、または代替的に、吸収パッドが、別個のリザーバに配置されてもよい。したがって、水は、その後の除去のために歩行面から貯蔵・収集領域へ誘導されるため、清潔で安全な歩行面が提供される。本明細書の様々な実施形態は、民間航空機（例えば、航空機の洗面所）での使用に関連して述べられていることに気付かれるだろう。しかしながら、代替の実施形態が他の用途で使用され得ることに気付かれるだろう。
【００２５】
図４は、格子１１０の平面図を提供し、図５は、格子１１０の部材の断面図を提供する。図４に見られるように、格子１１０は、液体の通過を可能にするように構成された開口部１１４の配列１１２を有する。図３、図４、および図５を参照すると、格子１１０は、底面１２２から上面１２４まで延在する部材１２０を有する。図５の例示的な断面図に最もよく見られるように、部材１２０は、底面１２２から上面１２４に向けて先細の断面１２６を有する。先細にすることにより、上面１２４から底面１２２（および受皿１３０）の方へ水を誘導するのを助ける傾斜面が設けられる。様々な実施形態において、部材１２０は、部材１２０の交点でテーパ形状を保持し、部材１２０の交点で液体が水滴状になる(beading)または他の貯留を防ぐのを助けることにさらに気付かれるだろう。格子は、容易に取り外し可能であり、必要に応じて(例えば、磨耗により)交換され得る。
【００２６】
一般に、部材１２０は、開口部１１４を画定するように互いに交差する。様々な実施形態において、開口部１１４のサイズは、上面１２４からの排液を可能にしながらも安全で好適な歩行面を提供するためにスティレットヒールの底面よりも小さくされる。図示の実施形態の部材１２０は、寸法および断面において互いに実質的に同じであるが、異なる形状の部材が様々な実施形態で使用され得ることに気付かれるだろう。図示の例の格子１１０は、等間隔の長方形格子を提供しているが、他の実施形態では他の形状または間隔が使用されてもよいことにさらに気付かれるだろう。
【００２７】
図３および図４にも見られるように、図示の例は、格子１１０の周囲１１７を取り囲むように延在するストリップ１１６を含む。ストリップ１１６は、格子１１０に接着される。追加的または代替的に、ストリップ１１６は、吸取層１４０および／または支持層１５０に接着される。ストリップ１１６は、格子１１０を支持し、格子１１０を取り付けるおよび／または配置するために使用され得る。例えば、図３に見られるように、図示の受皿１３０は、棚部１３４を含む。一部の実施形態では、ストリップ１１６は、金属材料（例えば鋼）で作られ、磁石１１８によって棚部１３４に固定されてもよい（例えば、棚部１３４上の所定の位置に保持されてもよい）。
【００２８】
様々な実施形態において、ストリップ１１６および／または棚部１３４ならびに関連する磁石は、追加の構造を（例えば、乾燥床アセンブリ１００の上に）取り付けるためにも使用され得る。例えば、様々な実施形態において、少なくとも１つの包囲部材１６０は、磁石によってストリップ１１６に固定され得る。図９は、乾燥床アセンブリ１００（例えば、受皿１３０および格子１１０）を含むシステム９００の分解斜視図を示す。図９には支持層１５０および吸取層１４０が示されていないが、これらの一方または両方は、図９に関連して述べられている態様に関連して様々な実施形態で利用され得ることに気付かれるだろう。図９に見られるように、受皿１３０および格子１１０は、床用受皿９１０（例えば、民間航空機の床用受皿）内に配置されるように構成される。補助壁縁取材１６０ａ、敷居縁部１６０ｂ、単一壁縁取材１６０ｃ、およびトイレ縁取材１６０ｄを含む様々な包囲部材１６０が利用される。各包囲部材１６０は、磁石１１９とストリップ１１６との間の磁気引力および／または包囲部材１６０の磁石１１９と受皿１３０の棚部１３４の磁石１１８との間の磁気引力によって対応する包囲部材１６０をストリップ１１６に固定するために使用される１つ以上の磁石１１９を含む（例えば、磁石１１９および磁石１１８は、互いに位置合わせされ、それぞれのＮ極およびＳ極が互いに向き合うように配置されてもよい）。様々な実施形態において、包囲部材は、標準的な格子サイズの使用を可能にするために使用されてもよく、包囲部材は、様々な環境（例えば、異なるサイズの洗面所）でこの格子サイズとの差異に対応する。
【００２９】
様々な実施形態において、格子１１０は、不燃性材料で形成される。本明細書で使用されるとき、不燃性材料は、民間航空機の不燃性基準または規定を満たす材料である。格子１１０は、熱硬化性樹脂を使用して成型(cast)されてもよい。一例として、格子１１０を形成するために８９２ウレタンが使用されてもよい。さらに、様々な実施形態における格子１１０は、格子１１０から吸取層１４０および受皿１３０へ水を移動させるのを助ける疎水性コーティングを有する。
【００３０】
図５に最もよく見られるように、図示の実施形態では、格子１１０の部材１２０の断面１２６は、上面１２４の点１２８に向けて先細の二等辺三角形１２７を形作っている。他の実施形態では他の形状が採用されてもよいことに気付かれるだろう。例えば、図示の例は点１２８を通る垂直軸線に関して対称であるが、他の実施形態は点１２８を通る垂直軸線に関して非対称であってもよい。例えば、一部の実施形態では、点１２８は、図示の実施形態のように中心に配置される代わりに、断面１２６の側縁部にあってもよい。図示の例では、すべての部材１２０が同じ断面１２６を有するが、他の実施形態では、少なくとも一部の部材１２０に、他とは異なる断面が利用されてもよいことにさらに気付かれるだろう。
【００３１】
引き続き図３を参照すると、吸取層１４０は、格子１１０の下に配置され、格子１１０と受皿１３０との間に介装される。図示の実施形態では、支持層１５０が、吸取層１４０と受皿１３０との間に直接介装されることに気付かれるだろう。一般に、吸取層１４０は、受皿１３０に向けて格子１１０の開口部１１４を通過する液体を吸い取るように構成される。様々な実施形態（例えば、民間航空機で使用するための）において、吸取層１４０は、１種類以上の不燃性材料で作られてもよい。一部の実施形態では、グラファイトベール（またはフェルト）が、吸取層に使用されてもよい。追加的または代替的に、ガラス繊維が、吸取層に使用されてもよい。
【００３２】
様々な実施形態において、吸取層１４０は、２つ以上の副層を含み得ることに気付かれるだろう。図６は、複数の副層を有する例示的な吸取層１４０の分解側面図を提供し、図７は、例示的な吸取層１４０の平面図を提供する。図６に見られるように、図示の吸取層は、４つの副層１４２ａ、１４２ｂ、１４２ｃ、１４２ｄを含む。様々な実施形態において、複数の比較的薄い吸取層を使用することにより、格子１１０から受皿１３０への吸い取りが向上する。一部の実施形態では、吸取副層は、同じ材料で作られてもよく、他の実施形態では、吸取副層は、所望の色および／または所望の吸い取り性能を実現するために、互いに異なる材料で作られてもよい。例えば、図示の実施形態では、副層１４２ａ、１４２ｂは、グラファイトベールで作られてもよく、副層１４２ｃ、１４２ｄは、ガラス繊維で作られてもよい。
【００３３】
図示の実施形態における吸取副層は、隣接する副層および格子１１０の少なくとも一方に（例えば、接着剤を使用して）離散点で接着される。例えば、最も高い副層は、一方の面では格子１１０の底面１２２に接着され、他方の面では２番目に最も高い副層に接着される。別の例として、最も低い副層は、その最も低い面では支持層１５０に接着され、他方の面では２番目に最も低い層に接着される。図７に見られるように、この接着は、離散点７０２で行われる。点７０２は、格子１１０の固体部分（例えば、部材１２０または部材１２０の交点）および支持層１５０の固体部分と点７０２とを位置合わせするように構成された配列７０４で配置され得る。正確な配置を確実にするのを助けるために、工具または型板を使用して点７０２に接着剤を塗布してもよい。様々な実施形態での不連続な接着点の使用は、吸取副層が、局所的なこぼれに対する広範囲の吸い取り能力を助けるように均一またはほぼ均一な接触を保持するのを助ける。
【００３４】
引き続き図３を参照すると、図示の実施形態の支持層１５０は、吸取層１４０の下に配置され、吸取層１４０と受皿１３０との間にある。支持層１５０は、格子１１０の上面１２４にかかる荷重を支持するのを助けるために吸取層１４０および格子１１０に支持または剛性を与えるのを助ける。様々な実施形態における支持層１５０は、金属材料で作られてもよい。図８は、支持層１５０の平面図を提供する。図８に見られるように、支持層１５０は、格子１１０の配列１１２の開口部１１４よりも小さい支持開口部１５２を含む。したがって、支持層１５０の開口部１５２が、格子１１０の開口部１１４と位置合わせされていれば、支持層１５０は、部材１２０の直下に固体部分を有し、（例えば、格子１１０の上面１２４上を歩く人および／または上面１２４上に立つ人によって）部材１２０に加えられる力を支持する。
【００３５】
図３に戻ると、図示の受皿１３０は、格子１１０の下に配置され、空隙部１３２を画定する。空隙部１３２は、格子１１０を通過する液体を収集し、かつ／またはこれを誘導し直すように構成される。例えば、図示の実施形態では、吸収パッド１８０が、空隙部１３２内に配置されている。格子１１０および吸取層１４０を通過する液体は、その後の除去のために吸収パッド１８０によって吸収される。他の実施形態では、吸収パッド１８０は使用されなくてもよく、液体を受皿１３０内に貯留することが可能である。その後、後の好適な時間に（例えば、フライト間におよび／または予定された保守期間中に）、液体は、（例えば吸引によって）受皿１３０から除去されてもよい。受皿１３０は、それが関連する床材とは別個のものであってもよく（例えば、既存の位置に後付けされ得るはめ込み式の交換品として構成されてもよく）、または他の実施形態では、部屋の床システムの一部品であってもよいことに気付かれるだろう。
【００３６】
一部の実施形態では、受皿１３０は、追加のまたは補足的なリザーバに液体を誘導し直すために使用され得る。例えば、図１０は、様々な実施形態に従って形成された受皿１３０の側面断面図を示す。図１０に見られるように、図示の例示的な乾燥床アセンブリ１００は、受皿１３０と流体連通するリザーバ１７０を含む。受皿１３０は、リザーバ１７０に流体を誘導するように構成された傾斜床１３６を含む。例えば、リザーバ１７０は、受皿１３０の側面から離して配置されてもよく、乾燥床アセンブリ１００から液体を除去するのにより好適な位置を提供し得る。図示を容易かつ明確にするために、図１０には単一の傾斜面が示されていることに気付かれるだろう。しかしながら、様々な実施形態において、複数の傾斜した部分および／または溝もしくは他の通路が、リザーバ１７０に液体を誘導し直すために使用され得る。リザーバ１７０は、液体を収集して貯蔵するために使用されてもよく、あるいは追加的または代替的に、液体を収集するための吸収パッドを保持するために使用されてもよい。
【００３７】
さらに、一部の実施形態では、リザーバ１７０は、受皿１３０に対して摺動可能、また他の方法で移動可能であってもよい。例えば、図１１は、連結動作可能なリザーバ１１７０を伴う受皿１１００の側面図を提供する。図１１に見られるように、リザーバ１１７０は、収集位置（実線で示す）と液体除去位置（仮想線で示す）との間で連結動作可能（例えば摺動可能）である。液体除去位置は、リザーバ１１７０から、貯留された液体および／または吸収パッドを除去するのに好適な位置を提供する。
【００３８】
本明細書で述べられているように、様々な実施形態が、厳しい耐燃性基準または規定が有効であり得る民間航空機に関連して使用され得る。様々な実施形態は、火災の危険性を低減または排除するのを助ける吸収パッドを提供する。例えば、図１２は、吸収パッド１２００の概略図を提供する。図示の吸収パッド１２００は、吸収性コア部１２１０、吸取部１２２０、およびガラス繊維外側プライ１２３０を含む。吸収性コア部１２１０は、液体を吸収するように構成され、例えばリン酸ナトリウムで作られてもよい。吸取部１２２０は、吸収性コア部１２１０を囲み、吸収性コア部１２１０に向けて液体を吸い取るように構成される。ガラス繊維外側プライ１２３０は、吸取部を囲み、吸収パッド１２００の外面１２３２を画定する。ガラス繊維外側プライ１２３０は、火災の危険性を低減または排除するのを助け、適用可能な安全基準を満たすのを助けるために不燃性のガラス繊維で作られる。一部の実施形態では、吸取部１２２０は、セルロースで作られてもよい。セルロースは可燃性であり得るが、セルロースは、十分に低い温度で燃える可能性があるため、ガラス繊維外側プライ１２３０は、セルロースから生じる炎を封じ込めるかまたは抑制することができるようになっている。他の実施形態では、さらなる安全性を提供するために、吸取部１２２０は、不燃性材料で作られてもよい。例えば、一部の実施形態では、吸取部１２２０は、ガラス繊維バッティング断熱材などのガラス繊維材料で作られる。
【００３９】
図１３は、閉鎖空間（例えば、航空機の洗面所）の床を形成するかまたはその上に配置されるように構成された乾燥床アセンブリ（例えば、アセンブリ１００）を用意するための方法１３００のフローチャートを示す。方法１３００は、例えば、本明細書で述べられている様々な実施形態（例えば、システムおよび／または方法）の構造または態様を採用し得る。様々な実施形態において、特定のステップ（または動作）は省略もしくは追加されてもよく、特定のステップは組み合わされてもよく、特定のステップは同時に実行されてもよく、特定のステップは並行して実行されてもよく、特定のステップは複数のステップに分割されてもよく、特定のステップは異なる順序で実行されてもよく、または特定のステップまたは一連のステップは反復的に再実行されてもよい。
【００４０】
ステップ１３０２で、格子（例えば格子１１０）が用意される。一般に、格子は、歩行または直立のための支持面を提供し、歩行面からの液体の排液または除去のための開口部も提供するように構成される。様々な実施形態において、格子は、液体の通過を可能にするように構成された開口部の配列を有し、底面から、歩行されるように構成された上面まで延在する部材を含み、この部材は、底面から上面に向けて先細の断面を有する。
【００４１】
一部の実施形態では、格子は、成型または成形されてもよい。例えば、図示の実施形態では、ステップ１３０４で、格子は、不燃性材料を使用して成型される。ステップ１３０６で、格子は、疎水性コーティングでコーティングされる。さらに、図示の実施形態では、ストリップ（例えばストリップ１１６）が、格子に接着される。様々な実施形態におけるストリップは、金属材料で作られ、格子の周囲を取り囲むように延在する。
【００４２】
ステップ１３１０で、受皿（例えば受皿１３０）が、格子の下に配置される。受皿は、空隙部を画定し、格子を通過する液体の流れを収集および／または誘導するように構成される。
【００４３】
ステップ１３１２で、吸取層（例えば吸取層１４０）が設けられる。吸取層は、受皿と格子との間に介装されるように構成され、受皿に向けて格子の開口部を通過する液体を吸い取るように構成される。一部の実施形態では、吸取層は、複数の副層を含む。例えば、図示の例では、ステップ１３１４で、複数の副層が用意され、ステップ１３１６で、各副層は、隣接する副層および格子の少なくとも一方に離散点で接着される。
【００４４】
図示の例のステップ１３１８で、支持層（例えば支持層１５０）が設けられる。支持層は、吸取層と受皿との間に介装される。例えば、支持層は、吸取層の底面に接着されてもよい。様々な実施形態において、支持層は、格子の開口部よりも小さい支持開口部を含む。
【００４５】
図示の実施形態では、様々な部分を、直接的または間接的に格子に接着した状態（例えば、ストリップ、格子、吸取層、および支持層の部分組立品を形成した状態）で、格子は、（例えばストリップを介して）受皿に結合され得る。ステップ１３２０で、ストリップ（金属材料で作られた）は、磁石によって受皿の棚部に固定される。例えば、磁石は、受皿の棚部に分散され、ストリップと位置合わせされてもよい。代替的に、棚部は、金属材料で作られてもよく、ストリップが、ストリップに取り付けられた磁石を有してもよい。さらに代替的に、ストリップと棚部の両方が、磁石を有してもよい。
【００４６】
図示の実施形態のステップ１３２２で、リザーバ（例えば、リザーバ１７０、リザーバ１１７０）が、受皿と流体連通するように設けられる。受皿は、流体をリザーバに誘導するように構成された傾斜床を有する。一部の実施形態では、リザーバは設けられなくてもよく、液体を受皿内に貯留することが可能であることに気付かれるだろう。さらに、追加的または代替的に、吸収パッド（例えば、吸収パッド１８０、吸収パッド１２００）が、受皿の空隙部内に、または別個のリザーバ内に設けられてもよい。
【００４７】
図示の実施形態のステップ１３２４で、少なくとも１つの包囲部材（例えば、図９の１６０ａ、１６０ｂ、１６０ｃ、１６０ｄ）が、ストリップに固定される。例えば、受皿は、洗面所の床に配置されてもよく、包囲部材は、ストリップの上に配置され、包囲部材は、（例えば、棚部の磁石および／または包囲部材に配置されたさらなる磁石によって）ストリップに固定される。
【００４８】
本開示の実施形態を説明するために、最上、底、下方、中間、横、水平、垂直、および前などの様々な空間的および方向的な用語が使用されている場合があるが、このような用語は、図面に示されている向きに関して使用されているにすぎないことが理解される。この向きは、例えば上部が下部になり、その逆になり、水平方向が垂直方向になるように、反転、回転、または他の方法で変更され得る。
【００４９】
本明細書で使用されるとき、タスクまたは動作を実行するように「構成」される構造、制限、または要素は、タスクまたは動作に対応する方法で特に構造的に形成、構築、または適合される。明確にし、誤解を避けるために、タスクまたは動作を実行するように修正され得るにすぎない対象は、本明細書で使用されるとき、タスクまたは動作を実行するように「構成」されるわけではない。
【００５０】
上記の説明は例示的であることを意図しており、限定的ではないことが理解されよう。例えば、上述の実施形態（および／またはその態様）は、互いに組み合わせて使用され得る。さらに、本開示の様々な実施形態の教示に特定の状況または材料を適合させるために、それらの範囲から逸脱することなく多くの修正が加えられ得る。本明細書に記載の材料の寸法およびタイプは、本開示の様々な実施形態のパラメータを規定することを意図しているが、これらの実施形態は、決して限定的なものではなく、例示的な実施形態である。他の多くの実施形態は、上記の説明を検討することにより当業者に明らかになり得る。したがって、本開示の様々な実施形態の範囲は、添付の特許請求の範囲が権利を有する均等物の全範囲と共に、この特許請求の範囲を参照して決定されるべきである。添付の特許請求の範囲において、用語「含む(including)」および「その場合(in which)」は、それぞれの用語「含む(comprising)」および「その場合(wherein)」の平易な英語の同義語として使用される。さらに、「第１」、「第２」、および「第３」などの用語は、ラベルとして使用されているにすぎず、それらの対象に数的要求を課すことを意図するものではない。さらに、以下の特許請求の範囲の限定は、ミーンズプラスファンクションの形式で書かれておらず、特許請求の範囲の限定が、さらなる構造を欠く機能の陳述が後に続く「するための手段(means for)」という語句を明示的に使用しない限り、かつ使用するまで、米国特許法第１１２条（ｆ）に基づいて解釈されることを意図していない。
【００５１】
したがって、本開示は、以下の付記項による実施形態を含む。
【００５２】
付記項１．閉鎖空間の床を形成するかまたはその上に配置されるように構成された乾燥床アセンブリ（１００）であって、
液体の通過を可能にする開口部（１１４）の配列（１１２）を有する格子（１１０）であって、格子（１１０）が、底面（１２２）から上面（１２４）まで延在する部材（１２０）を有し、上面（１２４）が、歩行されるように構成されており、部材（１２０）が、底面（１２２）から上面（１２４）に向けて先細の断面を有する、格子（１１０）と、
格子（１１０）の下に配置された受皿（１３０、１１００）であって、受皿（１３０）が、空隙部（１３２）を画定する、受皿（１３０、１１００）と、
受皿（１３０、１１００）と格子（１１０）との間に介装された吸取層（１４０）であって、吸取層（１４０）が、受皿（１３０、１１００）に向けて格子（１１０）の開口部（１１４）を通過する液体を吸い取るように構成されている、吸取層（１４０）と
を備える乾燥床アセンブリ（１００）。
【００５３】
付記項２．格子（１１０）が、疎水性コーティングを有する不燃性材料で形成されている、付記項１に記載の乾燥床アセンブリ（１００）。
【００５４】
付記項３．格子（１１０）の部材（１２０）の断面（１２６）が、上面（１２４）の点（１２８）に向けて先細の二等辺三角形（１２７）を形作っている、付記項１または２に記載の乾燥床アセンブリ（１００）。
【００５５】
付記項４．吸取層（１４０）が、複数の副層を備え、各副層が、隣接する副層および格子（１１０）の少なくとも一方に離散点（７０２）で接着されている、付記項１、２、または３に記載の乾燥床アセンブリ（１００）。
【００５６】
付記項５．吸取層（１４０）と受皿（１３０、１１００）との間に介装された支持層（１５０）をさらに備え、支持層（１５０）が、格子（１１０）の配列（１１２）の開口部（１１４）よりも小さい支持開口部（１５２）を備える、付記項１から４のいずれか一項に記載の乾燥床アセンブリ（１００）。
【００５７】
付記項６．格子（１１０）の周囲（１１７）を取り囲むように延在し、格子（１１０）に接着されたストリップ（１１６）をさらに備える、付記項１から５のいずれか一項に記載の乾燥床アセンブリ（１００）。
【００５８】
付記項７．受皿（１３０）が、棚部（１３４）を備え、ストリップ（１１６）が、金属材料で作られており、ストリップ（１１６）が、磁石（１１８、１１９）によって棚部（１３４）に固定されている、付記項６に記載の乾燥床アセンブリ（１００）。
【００５９】
付記項８．ストリップ（１１６）に固定された少なくとも１つの包囲部材（１６０）をさらに備える、付記項７に記載の乾燥床アセンブリ（１００）。
【００６０】
付記項９．受皿（１３０、１１００）と流体連通するリザーバ（１７０、１１７０）をさらに備え、受皿（１３０）が、リザーバ（１７０、１１７０）に流体を誘導する傾斜床（１３６）を有する、付記項１から８のいずれか一項に記載の乾燥床アセンブリ（１００）。
【００６１】
付記項１０．リザーバ（１７０、１１７０）が、収集位置と液体除去位置との間で連結動作可能である、付記項９に記載の乾燥床アセンブリ（１００）。
【００６２】
付記項１１．吸取層（１４０）の下に配置され、格子（１１０）を通過する液体を吸収する吸収パッドをさらに備える、付記項１から１０のいずれか一項に記載の乾燥床アセンブリ（１００）。
【００６３】
付記項１２．閉鎖空間の床を形成するかまたはその上に配置されるように構成された乾燥床アセンブリ（１００）を用意するための方法（１３００）であって、方法（１３００）が、
液体の通過を可能にする開口部（１１４）の配列（１１２）を有する格子（１１０）を用意するステップ（１３０２）であって、格子（１１０）が、底面（１２２）から上面（１２４）まで延在する部材（１２０）を有し、上面（１２４）が、歩行されるように構成されており、部材（１２０）が、底面（１２２）から上面（１２４）に向けて先細の断面を有する、ステップ（１３０２）と、
格子（１１０）の下に受皿（１１００）を配置するステップ（１３１０）であって、受皿（１１００）が、空隙部を画定する、ステップ（１３１０）と、
受皿（１１００）と格子（１１０）との間に介装された吸取層（１４０）を設けるステップ（１３１２）であって、吸取層（１４０）が、受皿に向けて格子（１１０）の開口部（１１４）を通過する液体を吸い取るように構成されている、ステップ（１３１２）と
を含む、方法（１３００）。
【００６４】
付記項１３．格子（１１０）を用意するステップが、不燃性材料を使用して格子（１１０）を成型するステップ（１３０４）と、疎水性コーティングで格子（１１０）をコーティングするステップ（１３０６）とを含む、付記項１２に記載の方法（１３００）。
【００６５】
付記項１４．吸取層（１４０）を設けるステップが、複数の副層を用意するステップ（１３１４）と、各副層を隣接する副層および格子の少なくとも一方に離散点（７０２）で接着するステップ（１３１６）とを含む、付記項１２に記載の方法（１３００）。
【００６６】
付記項１５．吸取層（１４０）と受皿（１３０、１１００）との間に介装された支持層（１５０）を設けるステップ（１３１８）であって、支持層（１５０）が、格子の配列（１１２）の開口部（１１４）よりも小さい支持開口部（１５２）を備える、ステップ（１３１８）をさらに含む、付記項１２、１３、または１４に記載の方法（１３００）。
【００６７】
付記項１６．格子（１１０）の周囲（１１７）を取り囲むように延在する、金属材料で作られたストリップ（１１６）を格子（１１０）に接着するステップと、磁石（１１８、１１９）によって受皿（１３０）の棚部（１３４）にストリップ（１１６）を固定するステップ（１３２０）とをさらに含む、付記項１２から１５のいずれか一項に記載の方法（１３００）。
【００６８】
付記項１７．少なくとも１つの包囲部材（１６０）をストリップに固定するステップ（１３２４）をさらに含む、付記項１６に記載の方法（１３００）。
【００６９】
付記項１８．受皿（１１００）と流体連通するリザーバ（１１７０）を設けるステップ（１３２２）であって、受皿（１１００）が、リザーバに流体を誘導する傾斜床（１３６）を有する、ステップ（１３２２）をさらに含む、付記項１２から１７のいずれか一項に記載の方法（１３００）。
【００７０】
付記項１９．閉鎖空間が、ビークルの洗面所（９９）である、付記項１２に記載の方法（１３００）。
【００７１】
付記項２０．吸収パッド（１２００）であって、
吸収性コア部（１２１０）と、
吸収性コア部（１２１０）を囲む吸取部（１２２０）であって、吸取部（１２２０）が、ガラス繊維材料を含む、吸取部（１２２０）と、
吸取部（１２２０）を囲むガラス繊維外側プライ（１２３０）であって、吸収パッド（１２００）の外面（１２３２）を画定するガラス繊維外側プライ（１２３０）と
を備える吸収パッド（１２００）。
【００７２】
本明細書は、最良の形態を含む、本開示の様々な実施形態を開示するために、また、当業者が、任意の装置またはシステムの製造および使用ならびに任意の組み込み方法の実行を含めて、本開示の様々な実施形態を実施できるようにするために例を使用している。本開示の様々な実施形態の特許可能な範囲は、特許請求の範囲によって規定され、当業者が思い付く他の例を含み得る。このような他の例は、これらの例が特許請求の範囲の文言と異ならない構造要素を有する場合、またはこれらの例が特許請求の範囲の文言と実質的に異ならない均等な構造要素を含む場合、特許請求の範囲内にあることを意図するものである。
【符号の説明】
【００７３】
１０  航空機、１２  推進システム、１４  ターボファンエンジン、１６  翼、１８，３２，８１  胴体、２０  尾部、２２  水平安定板、２４  垂直安定板、３０，８０  内部キャビン、３３，８７  前部区画、３４  ファーストクラス区画、３６  ビジネスクラス区画、３８  前部調理室ステーション、４０  拡張エコノミー，普通席区画、４２  標準エコノミー，普通席区画、４４，８５  後部区画、４６  キャビン移行エリア、４８，５０，５２  通路、８２  メインキャビン、８３  乗客席、８４  単一の通路、８９  コックピットエリア、９９  洗面所、１００  乾燥床アセンブリ、１１０  格子、１１２  配列、１１４  格子の開口部、１１６  ストリップ、１１７  格子の周囲、１１８，１１９  磁石、１２０  部材、１２２  底面、１２４  上面、１２６  断面、１２７  二等辺三角形、１２８  上面の点、１３０，１１００  受皿、１３２  空隙部、１３４  棚部、１３６  傾斜床、１４０  吸取層、１４２ａ，１４２ｂ，１４２ｃ，１４２ｄ  副層、１５０  支持層、１５２  支持開口部、１６０  包囲部材、１６０ａ  補助壁縁取材、１６０ｂ  敷居縁部、１６０ｃ  単一壁縁取材、１６０ｄ  トイレ縁取材、１７０，１１７０  リザーバ、１８０，１２００  吸収パッド、７０２  離散点、７０４  配列、９００  システム、９１０  床用受皿、１２１０  吸収性コア部、１２２０  吸取部、１２３０  ガラス繊維外側プライ、１２３２  外面
【図１】
2020011710.tif 000003
【図２Ａ】
2020011710.tif 000004
【図２Ｂ】
2020011710.tif 000005
【図３】
2020011710.tif 000006
【図４】
2020011710.tif 000007
【図５】
2020011710.tif 000008
【図６】
2020011710.tif 000009
【図７】
2020011710.tif 000010
【図８】
2020011710.tif 000011
【図９】
2020011710.tif 000012
【図１０】
2020011710.tif 000013
【図１１】
2020011710.tif 000014
【図１２】
2020011710.tif 000015
【図１３】
2020011710.tif 000016
【外国語明細書】
2020011710000001.pdf